Podtech/llm-jp-corpus-v4-ja_patent huggingface dataset:
(57)【要約】【課題】  解決しようとする問題点は、保冷剤式冷し枕において、患者頭部の熱により温度が上昇しても、一般にタオル等で包んでいることもあり、外部からは容易に温度変化が把握できないという点である。【解決手段】  本発明は、保冷剤式冷し枕の上方右側および／または左側にポケットを設置し、一方または両方のポケットに温度表示器を設置し、ポケットから温度表示器を抜き取ることにより、外部から容易に温度変化が把握でき、かつ比較的安価で実現できることを主要な特徴とする保冷剤式冷し枕である。【選択図】図１
2009268560.tif 000002
【特許請求の範囲】
【請求項１】
通常のゲル状保冷剤式冷し枕において、上方右側および／または左側にポケットを設置し、一方または両方のポケットに温度表示器を設置することを主要な特徴とする保冷剤式冷し枕。
【請求項２】
前記温度表示器は、シート型液晶温度表示部と、該温度表示部に連結する温度計引き出し部と、該温度計引き出し部の他端部側に設けたつまみ部と、前記温度表示部の枕本体側に設けた熱伝導膜部と、を備えたことを特徴とする請求項１記載の保冷剤式冷し枕。
【請求項３】
前記ポケットが発泡合成樹脂製膜で構成されていることを特徴とする請求項１記載の保冷剤式冷し枕。
【請求項４】
保冷剤式冷し枕において、側周縁部に貫通孔を設け、係る貫通孔に温度表示器を挿通していることを主要な特徴とする保冷剤式冷し枕。
【請求項５】
保冷剤式冷し枕において、側周縁部にシート型温度表示器を柔軟性の高い合成接着剤で貼り付けることを主要な特徴とする保冷剤式冷し枕。
【発明の詳細な説明】
【技術分野】
【０００１】
本発明は、患者が使用している保冷剤式冷し枕の温度を、付属の温度計により容易に測定可能とするものである。
【背景技術】
【０００２】
保冷剤式冷し枕は、一般に冷凍庫に２つ用意しておき、１つで患者の頭部を冷却して時間とともに次第に温度が上昇すると、もう１つの保冷剤式冷し枕と交換して、患者の頭部を冷却し続けることが出来る。しかし、保冷剤式冷し枕は水滴が付くことを防ぐため、タオル等で包み、かつ患者の頭部の下にあるため、温度の確認が面倒であった。
【特許文献１】特開２００７−１３５８６４号     本発明は、氷枕の外表面に温度測定部を有するＩＣタグを備えたことを特徴とする頭部を冷却する氷枕であるが、本ＩＣタグを利用する方式は、電源部と温度表示部を必要とし、構造が複雑となり、コストがかさむという問題点があった。
【特許文献２】特開２００５−１２４６０９号  公報   本発明は、ペルチェ効果を有する熱電半導体素子を備え、温度制御部を備えた電子枕であるが、本電子枕は、電源部と熱電半導体素子と温度制御部を必要とし、構造が複雑となり、コストがかさみ、一般的には使用しにくいという問題点があった。
【発明の開示】
【発明が解決しようとする課題】
【０００３】
解決しようとする課題は、頭部の温度を下げる保冷剤式冷し枕において、患者頭部の熱により温度が上昇しても、一般にタオル等で包んでいることもあり、外部からは容易に温度変化が把握できないという問題を、低コストで簡便に実現可能とすることである。
【課題を解決するための手段】
【０００４】
本発明は、保冷剤式冷し枕の上方右側および／または左側にポケットを設置し、一方または両方のポケットに温度表示器を設置し、ポケットから温度表示器を抜き取ることにより、安価であり、かつ外部から容易に温度変化が把握できることを主要な特徴とする保冷剤式冷し枕である。
【発明の効果】
【０００５】
本発明の保冷剤式冷し枕は、患者が高熱を出し続け、熱を下げないと危険な場合に、氷枕の頭部の温度とほぼ同等な温度を、頭部に近い温度表示器を抜き出すことにより、外部から容易に把握でき、冷し枕の交換時期が容易に把握でき、かつ安価で実現出来るという利点がある。
【発明を実施するための最良の形態】
【０００６】
ゲル状の保冷剤式冷し枕の上方右側および／または左側にポケット１ａ、１ｂを設置し、一方または両方のポケットに温度表示器２を取り付ける。
【０００７】
温度表示器２は、シート型液晶温度表示部２ａと、温度計引き出し部２ｂと、つまみ部２ｃと、冷し枕の温度をシート型液晶温度表示部に伝えるための熱伝導膜部２ｄで構成される。
【０００８】
ポケットは、外気からの熱によるシート型液晶温度表示部への影響を少なくするため、発泡合成樹脂製シートで構成する。
【０００９】
シート型液晶温度表示部は、コレステリック液晶を利用したシート型温度表示器で構成する。  
【００１０】
冷し枕の温度をシート型液晶温度表示部に伝えるための熱伝導膜部は、冷し枕との接触部分を大きくするため、冷し枕に使用する保冷剤などのゲル状物質を合成樹脂製シートで包むかまたはゲル状物質のみの構成とする。
【００１１】
保冷剤式冷し枕の側周縁部に貫通孔３ａ、３ｂを設け、一方または両方の貫通孔に温度表示器２を取り付けてもよい。
【００１２】
保冷剤式冷し枕の側周縁部に、柔軟性が高く温度変化の影響を受けにくいゴム系合成接着剤で直接シート型温度表示部２ａ、２ｅを貼り付けてもよい。
【実施例１】
【００１３】
図１は、本発明の温度表示器付保冷剤式冷し枕の構成例であって、符号１ａ〜２ｄは、図２と同様である。
【実施例２】
【００１４】
図３は、側周縁部に貫通孔を設けた温度表示器付保冷剤式冷し枕の構成例であって、符号２ａ〜３ｂは、図２と同様である。
【実施例３】
【００１５】
図４は、側周縁部に直接シート型温度表示部２ａを取り付けた温度表示器付保冷剤式冷し枕の構成例であって、符号２ａ、２ｅは、図２と同様である。  
【図面の簡単な説明】
【００１６】
【図１】温度表示器付保冷剤式冷し枕の構成実施方法を示した説明図である。（実施例１）
【図２】温度表示器の側面図である。
【図３】側周縁部に貫通孔を設けた温度表示器付保冷剤式冷し枕の構成実施方法を示した説明図である。（実施例２）
【図４】側周縁部に直接シート型温度表示部２ａ、２ｅを取り付けた温度表示器付保冷剤式冷し枕の構成実施方法を示した説明図である。（実施例３）
【符号の説明】
【００１７】
１ａ  右側ポケット部
１ｂ  左側ポケット部
２    温度表示器
２ａ  シート型液晶温度表示部
２ｂ  温度計引き出し部
２ｃ  すべり止め
２ｄ  熱伝導膜部
２ｅ  左側シート型液晶温度表示部
３ａ  右側貫通孔
３ｂ  左側貫通孔
【図１】
2009268560.tif 000003
【図２】
2009268560.tif 000004
【図３】
2009268560.tif 000005
【図４】
2009268560.tif 000006
(57)【要約】【課題】現在、膝関節症者数は約４７０万人以上と新聞報道されており今後もさらに増えると云われている膝関節痛の高齢者の歩行時の痛みをてこ原理で骨と骨が擦れないように曲げ屈折半回転機構で効かせて、やわらげる事を課題とした。【解決手段】てこ原理を利用して曲げ屈折半回転機構を動作することで固定ベルトを上下に１ミリ〜２ミリ効かせることで膝に負担をかけないよう体重を支えることで解決する。【選択図】図１
2009268859.tif 000002
【特許請求の範囲】
【請求項１】
膝関節の上下に固定ベルトをまき歩行時や膝を延ばした時１ミリ〜２ミリ固定ベルトを上下に広げることで膝関節症の骨と骨が接触しない様、てこ原理で体重を支える事を特徴とした曲げ屈折半回転機構による膝関節の支持器。
【請求項２】
膝を曲げた４５度から膝を延ばした９０度の範囲内では、曲げ屈折半回転機構を効かして広げ、４５度以下の角度では、てこが作用しないよう遊びを設けることを特徴とする曲げ屈折半回転機構による膝関節の支持器。
【請求項３】
てこが作用するボル穴経はどちらか片方を１ミリ〜２ミリ大きく開ける、この遊びで曲げ屈折半回転機構がてこ原理で有効に効かせ体重を支持する事を特徴とする曲げ屈折半回転機構による膝関節の支持器。
【発明の詳細な説明】
【技術分野】
【０００１】本発明は膝関節の支持に関するものであり、曲げ屈折半回転する機構部に、てこ原理が作用する支持器に工夫を加える事によって膝関節症者の歩行を容易にするものである。
重症者には図の通り足裏から支持器を支える事でさらに効かせる事ができる。
【背景技術】
【０００２】従来ある膝関節症者用の支持器は体重の支持、支点が一定の固定式である。
【特許文献１】
【非特許文献１】
【発明の開示】
【発明が解決しようとする課題】
【０００３】従来の膝関節症用支持器は一定の固定式であるため歩行時には、膝の支持  支点がずれて効きにくい欠点があった。
本発明は歩行する毎に、てこ原理が作用して膝の関節部を曲げ屈折半回転機構で支持して骨と骨が擦れないよう体重を支えるため歩行が容易になる事を課題とした。
【課題を解決するための手段】
【０００４】この課題を解決するため請求項１請求項２請求項３の発明はてこ原理の半回転機構により膝の骨と骨を接触させず膝に負担が掛からない事を特徴とする。
【発明の効果】
【０００５】請求項１は膝に負担を掛けないようてこ原理で曲げ屈折半回転機構の支持器で体重を支える事を特徴とする。
請求項２は曲げ屈折半回転機構で４５度以下ではてこが作用しないよう逃がして、はずす事を特徴とする。
請求項３はシャフトに遊びを作ることで曲げ屈折半回転機構を効かせたり、また、効かせないことを特徴とする。
【発明を実地するための最良の形態】
【０００６】図１は膝に固定バンド上下で曲げ屈折半回転機構に、てこ原理を設けた事を特徴とする膝の支持器を取り付けた状態を示す。
図２と図３は曲げ屈折半回転機構の４５度以上〜９０度の動作状態を示す。
図４は曲げ屈折半回転機構の４５度以下でてこ原理を逃がした状態を示す。
【０００７】また、曲げ屈折半回転機構のボルトに直接、てこ原理を作用させてもよい。
曲げ屈折半回転機構はてこ部を丸くして回転させてもよい。
【産業上の利用可能性】
【０００８】本発明に係る膝関節症用の曲げ屈折半回転機構の支持器は工業的に量産することが可能であるため産業上の利用可能性を有する。
【図面の簡単な説明】
【０００９】
【図１】膝関節の上下ベルトに曲げ屈折半回転機構の支持器を取り付けた状態を示す。
【図２】曲げ角度８５度の曲げ屈折半回転機構のてこ原理の動作状態を示す。
【図３】曲げ角度４５度以上の曲げ屈折半回転機構のてこ原理の動作状態を示す。
【図４】曲げ角度４５度以下の曲げ屈折半回転機構のてこ原理を逃がす状態を示す。
【符号の説明】
【００１０】１  膝関節の上部の固定バンド
２  膝関節の下部の固定バンド
３  曲げ屈折半回転機構
４  重症者用の固定バンド支え支持部
５  ボルトの遊び
６  ボルト
７  曲げ屈折半回転機構のてこ原理をはずす又、逃がした状態を示す。
【図１】
2009268859.tif 000003
【図２】
2009268859.tif 000004
【図３】
2009268859.tif 000005
【図４】
2009268859.tif 000006
(57)【要約】【課題】６種類の役割ルートを定め、分数部分の数値を変えることにより、選び出される４箇所の位置が異なることを可能にした役割ルート作成方法を提供する。【解決手段】本発明の新規な点は、役割ルート作成方法において、三角関数の三角比を利用し、比の値を役割ルートの表現方法に変えて規則化したものである。もう一つの新規な点は、６種類の役割ルートを定め、一つの指示に対し４箇所が選び出され、その分数部分の数値を変えることにより、選び出される４箇所の位置が異なることを可能にしたことを特徴とする。【特許請求の範囲】
【請求項１】
三角関数の三角比を利用し、比の値を役割ルートの表現方法に変えて、役割ルートの方向性を定め、規則化した役割ルート作成方法。
【請求項２】
2009268860.tif 000004
【請求項３】
６種類の役割ルートにおいて、一つの指示に対し、４箇所が選び出される。その分数部分の数値を変えることにより、選び出される４箇所の位置が異なることを可能にした役割ルート作成方法。
【発明の詳細な説明】
【発明の詳細な説明】
【技術分野】
【０００１】本発明は、三角関数の三角比の値を役割ルートの表現方法に変えて、役割ルートの方向性を定め、規則化し６種類の役割ルートを定めた。その分数部分の数値を変えることにより、選び出される４箇所の位置を変えることを可能にした役割ルート作成方法に関するものである。
【背景技術】
【０００２】従来は、クロスワードやナンバープレースのように文字や数を埋め込んでいく方法のものや、ボードゲーム等の形態のゲームにおいても、単純すぎてすぐに飽きてしまうものや反対に複雑でルールが難しいものであり、楽しく遊びを通して思考能力の連携と循環を促すパズル・ゲームの出現が望まれていた。
【発明が解決しようとする課題】
【０００３】本発明の主要な課題は、ルールのある楽しい遊びを通して思考能力の連携と循環を促すパズル・ゲーム等の作成方法を提供することを目的とする。
【課題を解決する為の手段】
【０００４】請求項１の発明は、三角関数の三角比を利用し、比の値を役割ルートの表現方法に変えて、役割ルートの方向性を定め、規則化したものである。
【０００５】
2009268860.tif 000002
とされ、その役割ルートは次の通りである（図３参照）。
2009268860.tif 000003
以上の役割ルートを規則化したことを特徴としたものである。
【０００６】請求項３の発明は、請求項２で示したとおり、一つの指示に対し４箇所が選び出される。その役割ルートのうち分数部分の数値を変えることにより、選び出される４箇所の位置が異なることを特徴としたものである。
【発明の実施形態】
【０００７】本発明は、６種類の役割ルートと、その選び出された４箇所の位置の変化を利用して、それぞれに文字、数字、絵、記号、等を埋め込み、ルールのある楽しい遊びを通して思考能力の連携と循環を促すパズル・ゲーム等の作成方法を提供することを目的とする。
【０００８】図２は、６種類の種類別形態について、役割ルートと４箇所の位置を定める数値を図式化して表示し、直感的に認識できるようにしたので記憶する必要がなく、誰にでも簡単に理解できるようにしたものである。
【０００９】図３は、６種類の役割ルートを示したものである。図が示す通り、一つの指示に対し４箇所が選び出される。指示の数値によって選び出される４箇所の位置が異なることを示した例である。以下、図とともに本発明の実施の形態について説明する。
【実施例１】
【００１０】図４は、上部のコマにある役割ルートを用いて、それを中央の太枠の位置に順番に当てはめ、それぞれ４文字を選び出す。選び出された文字を推理してメッセージを解読するように構成したものである。
【実施例２】
【００１１】図５で示したように、それぞれ役割ルートに従い４つの数字を選び出す。その４つの数字を使い、指定された数式をつくるように構成したものである。
【発明の効果】
【００１２】本発明は、６種類の役割ルートを利用したパズル・ゲーム等の作成方法を提供するものである。役割ルートが示されたコマ１、表２、メッセージ３より構成され、６種類の役割ルートによって選び出された４箇所を利用して、それぞれに文字、数字、絵、記号等を埋め込み、推理・解読しようと思考錯誤する遊びを通して思考能力の連携と循環を促す効果を有している。また周知の構成にない新規性のある遊び方により、遊ぶ者を飽きさせない、ゆえに本発明は新規性、実用性、及び産業上に利用価値を有しているものである。
【図面の簡単な説明】
【００１３】
【図１】役割ルートのルートを規則化するために用いた図を示したものである。
【図２】役割ルートと４箇所の位置を定める数値を図式化したものを示したものである。
【図３】役割ルートに従い、割り当てられた４文字を選び出す手順を示したものである。
【図４】本発明のメッセージ暗号化方法の１実施例を示したものである。
【図５】本発明の数式化方法の１実施例を示したものである。
【符号の説明】
▲１▼〜▲４▼  役割ルートの方向を示した。
▲５▼  分母の数字を示した。
▲６▼  分子の数字を示した。
▲７▼  選び出された４箇所の位置を示した。
【図１】
2009268860.tif 000005
【図２】
2009268860.tif 000006
【図３】
2009268860.tif 000007
【図４】
2009268860.tif 000008
【図５】
2009268860.tif 000009
(57)【要約】      （修正有）【課題】水、歯磨き粉を使用せず、指で歯の表面と歯の間の汚れを取り除く指装着式個別包装型綿布を提供する。【解決手段】テープ状にカットした綿布３の片面に両面テープ２を装着し、各々を密閉式の衛生紙に収納し、使用時に随時取り出し、利き手人差し指に固定し、指で直接歯に圧をかけ、摩擦によって歯の表面に付着した汚れを短時間で取り除き、横幅を指より２ｍｍほど余裕をもたせ突起部分を作ることで、歯間の汚れも取り除けるようにし、使用する材料は全て天然物にすることで体内に有害物質を取り入れないことを特徴とする指装着式歯磨き綿布。【選択図】図１
2009268876.tif 000002
【特許請求の範囲】
【請求項１】
指幅よりわずか広めのテープ状にカットした綿布の片面に両面テープを装着し、綿布中央部両側を綿布だけ切り取り幅を内側に約数ミリ程くぼませ、両面テープ台紙がわずかに突出するようにし、両面テープは中央部に約１ｃｍほどの幅をとり、切り込みを入れ、一つ一つ密閉式の衛生紙に収納し、歯の表面及び歯間を清掃する事を特徴とする指装着式歯磨き綿布。
【発明の詳細な説明】
【技術分野】
【０００１】  本発明は、粘着テープで指に一時装着し、歯の表面及び歯間の汚れを除去するための指装着式歯磨き綿布に関するものである。【０００２】  従来切り込みを入れた紙をらせん状に丸め、歯の清掃をする道具があった。また、不繊紙に溶液を浸潤させ指に巻きつけて歯を清掃する道具があった。
【特許文献１】公開番号２００６−２３０９８８号公報
【特許文献２】公開番号２０００−５１２４３号公報
【発明の開示】
【発明が解決しようとする課題】
【０００３】そのため次のような問題点があった。
（イ）従来、歯の清掃をするために水や歯磨き粉を使用するが、飲食や喫煙の度に毎回実施するには、洗面所等水の供給、排水が出来る設備を必要とし不便を感じることも多い。
（ロ）さらに、口の周りに水や歯磨き粉がつき、特に化粧をしている女性にとって歯磨き後の化粧直し等でさらに時間が取られるという面倒もある。
（ハ）また、歯磨き粉やうがい薬に含まれる物質は容易に体内に浸透し、相応しくない結果を招く恐れもあり、さらに味覚を損なう恐れもある。
（二）指に装着して歯を清掃するペーパー等では、唾液等で指自体が濡れてしまい、外出時には返って不潔感もあった。
（ホ）使い捨てのペーパーにおいても、一日に何回も歯の清掃をするには、数個を持ち歩く必要があり、かさ張るものは相応しくない。
本発明は以上の問題点を解決するためのものである。
【課題を解決するための手段】
【０００４】  テープ状にカットした綿布の片面に両面テープを装着し、各々を密閉式の衛生紙に収納する。使用時に随時取り出し、指先端に固定する事で、歯の表面に付着した汚れを短時間で取り除き、体内に有害物質を取り入れない。また指先端付近にわずかに突出する台紙によって歯間の汚れも取り除ける。以上を特徴とする指装着式歯磨き綿布である。
【発明の効果】
【０００５】  従来の化学繊維を使用してない綿布には、汚れを除去し吸着させるという優れた点があることに着目した。また天然素材であり口腔内に使用しても、人体に悪影響を与えることなく、衛生的且つ安心である。水や特別な薬品等も使用せず、いつでもどこでも気になる時に歯の清掃が出来る。布である事で薄い形状であるという利点もあり携帯用に化工し易く、相当な量を携行できるので、日常の仕事の休憩時はもちろん、外出時の携帯にも適している。さらに、乳幼児や介護中の高齢者や、さらに災害等の緊急時など容易に水を使用しにくい環境でも適時口腔内の衛生を保てる。また気分を和ませるハーブ等も浸潤させやすいので、好む方は歯の清掃を兼ね、何種類かの香りを時々の気分に応じて選択し、アロマ効果も楽しめ、口臭予防もできる。
【発明を実施するための最良の形態】
【０００６】以下、本発明の実施の形態について説明する。
（イ）包装用紙（１）を２枚合わせた内部にテープ状にカットした綿布（３）の中央両側にわずかなくぼみ（４）をつけ、中央に約１ｃｍほどに幅を残し切り込み（６）を入れた両面テープ（２）を張り合わせたものを密封する。
（ロ）包装用紙（１）の片側にあるあけ口から一方をはがし取り、内部の両面テープ（２）と綿布（３）を取り出す。
（ハ）両面テープ（２）中央の切り込み（６）から一方の両面テープを取り外し、露出した粘着面に指の腹側を密着させる。
（二）その上でさらに片側の両面テープ（２）を約１ｃｍ程の幅を残し取り外し、指の脊側（爪のある側）に張り、指の腹で歯の表面を摩擦して汚れを取る。指の腹側にも綿布（３）があるので口腔内でも装着した指が濡れることは無い。
（ホ）中央の綿布のくぼみから約１ｃｍ程残した台紙（５）が突出しているので、歯の間の汚れも取り易い。柔らかい綿布のみでの使用をする際にも容易に台紙は取り外せ、使用感も自由に選べる。
（ヘ）また、綿布（３）にアロマオイル、ハーブエキス等を浸潤させておけば、口腔内の清掃をしながら精神的ケアや、血行を促進し歯茎の病気、口臭等の予防も可能となる。
【図面の簡単な説明】
【０００７】
【図１】本発明の斜視図
【図２】本発明の開封の仕方を解説した図
【図３】本発明の装着方法を示すイラスト図
【図４】本発明の使用例を示すイラスト図
【符号の説明】
【０００８】１  包装紙
２  両面テープ
３  綿布
４  綿布のくぼみ部分
５  両面テープ突出部分
６  両面テープの切り込み
７  両面テープの台紙
【図１】
2009268876.tif 000003
【図２】
2009268876.tif 000004
【図３】
2009268876.tif 000005
【図４】
2009268876.tif 000006
(57)【要約】【課題】  腰痛の軽減、予防をはじめ、尿漏れや歩行時の転倒防止、内臓の正常な保持を促すために、継続性の高い横になった状態でのトレーニングを可能にする枕を提供する。【解決手段】  適度な硬さをもち、滑りにくい枕に、腰が正しい角度を作ることができる適度な傾斜と、腰が入り込む空間を作ることを特徴とする。【選択図】図１
2009268877.tif 000002
【特許請求の範囲】
【請求項１】
背骨の外側（背中側）の脊椎間の幅が開きやすい角度を作るため、仙骨を内側（恥骨側）に入れ込みやすくする角度を枕に作る。
尻をのせたとき、枕底面部と尻がのる部分が滑りやすいため、正しい位置に枕を保持するための滑りにくい素材を使う。
腰が必要以上に沈むと効果が得られないため、ソフトウレタンなど多少硬い素材を使う。
【発明の詳細な説明】
【技術分野】
【０００１】  この発明は、枕独自の曲線で腰椎間の隙間を広げ、腰痛を改善するとともに、腸腰筋をはじめとする腹筋、背筋などを鍛えるとともに、股関節を柔軟に保ち正しい角度を保持するためのものです。
【背景技術】
【０００２】  知らず知らずのうちに横になった時、腰を楽にするために腰の下に手を差し込んだり、膝を胸につけるように丸める動作をしていますが、その心地よい角度を保持するための専用の枕がなかった。
【発明の開示】
【発明が解決しようとする課題】
【０００３】  腰痛体操は腹筋や背筋を鍛えたり、腰の角度を腰の一部に負担がかからないようにするなどの目的で行われますが、継続することが難しいなどの欠点がありました。そこで横になって臀部に手を差し込んだり、座布団や枕などを臀部の下に入れて腰を伸ばしていましたが、正しい角度を作ることもできず、保持することもできないばかりでなく改善するためのノウハウもありませんでした。
本発明は、以上のような欠点をなくすためになされたものである。
【課題を解決するための手段】
【０００４】  先ずは継続性を考え、横になって行うという一番リラックスできる形であることです。次に立って正しい腰の角度を作ることは、高齢であればあるほど理解もしにくく、トレーニングも困難になります。この尻枕を使用することにより、横になった自分の体重で自然と正しい腰の角度が作られ、加えて簡単なトレーニングが、誰でもできるようになります。
【発明の効果】
【０００５】  うつ伏せに寝て本を読み続けると腰が痛くなりやすいが、それとは逆の形を作ることになります。つまり背骨側の脊椎間が広がり腰痛の原因である神経の圧迫を取り除いてくれます。
この姿勢を作ること、あるいは作ろうとすることは、腰痛を改善し、インナーマッスルである腸腰筋をはじめとする腹筋、背筋、腹膜、骨盤底筋群を鍛え内臓を正しい位置に保持し、歩行時における転倒、尿漏れ、脱腸などを防止する効果を得ることができます。
【発明を実施するための最良の形態】
【０００６】以下、本発明を実施するための最良の形態について説明する。
発明者は「仙骨姿勢講座」などを書き、全国版の雑誌に定期的に体の使い方を説明している者である）尻枕は自分の体重で自然と仙骨、つまり骨盤が天井の方向に回転するように作られなければならない。そのためには腰の角度を導くための適度な傾斜と腰を落とそうとするための空間が必要である。
素材は低反発などの柔らか過ぎるものは不適切で、ある程度の硬さを必要とするため、ソフトウレタン、綿などを使用するほうが良い。
本発明は、以上のような構造である。
これは、老若男女を問わず使用できます。
【図面の簡単な説明】
【０００７】
【図１】  本発明の全体図である。
【図２】  本発明の平面図である。
【図３】  本発明の側面図である。
【図１】
2009268877.tif 000003
【図２】
2009268877.tif 000004
【図３】
2009268877.tif 000005
(57)【要約】      （修正有）【課題】自力歩行回復途上の人々、一般歩道を歩いてみたいが自信がない人々の為の歩行訓練補助具を提供する。【解決手段】車体を支える下弦材１は、ハンドル３を支える直立材２と強固に固定する。ハンドル３は上下作動可能なスリーブを直立材２に固定し、下部にはキャスター式車輪４を取り付ける為の支持板５を設け、支持板５には数カ所の孔を施す。一方後輪６同士には後６輪を跨る横材７に固定し、後輪取付ファスナー８を設ける。横材７の中央から任意の高さで直立材９を固定立ち上げ上弦材１０へと繋ぎハンドル支持材と固定する。尚、前輪取付ファスナー１１にはブレーキファスナー１２を設け、ハンドルのブレーキファスナー１３にブレーキワイヤー１４を設けてある。【選択図】図１
2009268875.tif 000002
【特許請求の範囲】
【請求項１】
次世代歩行訓練補助具は、三輪車であることが特徴である。
【請求項２】
次世代歩行訓練補助具は、ハンドルワッパを押し引きで歩行方向を定められるよう前輪をキャスター式にしたのが特徴である。
【請求項３】
次世代歩行訓練補助具は、屋内外を問わず家庭でも使用できるのが特徴である。
【請求項４】
次世代歩行訓練補助具は、ハンドルワッパの上下でブレーキが作動するのが特徴である。
【請求項５】
次世代歩行訓練補助具は、車体水平材が二段あり、上方水平材でもハンドル操作出来るのが特徴である。
【請求項６】
次世代歩行訓練補助具は、水平材の上下にカバン又は袋等々を固定して、歩行者の反対側に取付出来るのが特徴である。
【発明の詳細な説明】
【発明の詳細な説明】
【技術分野】
【０００１】  この発明は新規考案に関するものである。
この次世代歩行訓練補助具は動く杖代わりに考案されたもので、自力歩行回復途上の人々、一般歩道を歩いてみたいが自信がないと言った方々の為の訓練歩行に開発された次世代歩行訓練補助具である。
【背景技術】
【０００２】  従来も歩行補助具はあったが、車椅子であったり、四輪で完全ガードの歩行具又は杖、乳母車のように、歩行困難の状態から歩行可能迄の中間にある歩行訓練補助具は無かったため、補助具を使用するのが恥ずかしく、未だそんな年齢に達していないと我を張り、退院して又は歩行出来にくくなったとき等は家に閉じこもり気味になりやがては再入院又は軽度歩行困難な状態から歩行困難となっていた。
【発明が解決しようとする課題】
【０００３】  本発明は、そんな欠陥を除くために下記のように研究を重ねた。
【０００４】  普通歩行状態で歩行訓練ができないかを考え、病院等で使っている四輪歩行補助具の枠から脱出して補助具の外から歩行訓練が出来ないか研究を重ねた。
【０００５】  歩行訓練でハンドルを回して歩行方向を定めるのは難しい。ハンドル又はバーに寄り添いハンドル又はバーを押したり引いたりして歩行方向を定める方法に研究を重ねた。
【０００６】  歩行訓練時のブレーキの掛け方、また、収納時のブレーキの掛け方に研究を重ねた
【０００７】  補助具に寄り添って歩行訓練をするならばハンドルはどんな形で大きさはどうだろう、また、歩行訓練中によろけたら何で歩行訓練者を支えれば安全だろうかと安全対策に研究を重ねた。
【０００８】  家庭内で手摺は無く、くねくね曲がっている所で歩行訓練は出来ないだろうか、トイレ等一人でドアーが明けられ便器近くまで行けるにはどうすれば良いだろうか研究を重ねた結果、次世代歩行訓練補助具に至った。
【課題を解決するための手段】
【０００９】  目的を叶える為に、歩行補助具に寄り添い歩行する為、ハンドルのワッパを出来る限り小さくし、寄り添ったままで方向転回が出来るよう、目的とする方向へ体が向けば自然にハンドルが切れるよう押し引きハンドルとした。また、ブレーキを握って掛ける事は到底無理があるため、ハンドルに添えている手でハンドルごと押さえて効くブレーキとした。尚、歩行訓練中によろけた場合危険状態に陥るため車体用水平材を二本設け、ハンドル高さより少し下目に上弦材を設けてよろけ止め兼用方向舵取り材とした。下弦材は車輪の上部任意の高さで前輪から後輪に跨るようにし、後輪同士を支持する支持材の中央から立ち上げ上弦材を支えるようにした。ハンドル支持材は前輪前部に直立材で立ち上げ、付属物が仮づけ出来る支柱としても利用出来るようにした。また、上下弦材には片開きの袋又はカバンが取り付くようにして本発明の次世代歩行訓練補助具を完成することができた。
【発明の実施形態】
【００１０】  本発明で使用される次世代歩行訓練補助具は、特に屋内又は家庭内で歩行訓練ができ、狭いところ又はドアーの前まで寄りつけられ通常歩行と変わらない行動がとれ安心して使用でき非常に便利になった。
【実施例】
【００１１】  車体を支える下弦材（１）は、ハンドル（３）を支える直立材（２）に強固に固定する。ハンドルは上下作動可能なスリーブを直立材に固定し、下部にはキャスター式車輪（４）を取り付ける為の支持板（５）を設け、支持板には数カ所の孔を施す。一方後輪（６）同士には後輪を跨る横材（７）に固定し、後輪取付ファスナー（８）を設ける。横材の中央から任意の高さで直立材（９）を固定立ち上げ上弦材（１０）へと繋ぎハンドル支持材に固定する。尚、前輪取付ファスナー（１１）にはブレーキファスナー（１２）を設け、ハンドルのブレーキファスナー（１３）にブレーキワイヤー（１４）を設けて次世代歩行訓練補助具の完成である。
【発明の効果】
【００１２】  この発明により、入院中に通常の歩行訓練が出来、退院後は普通歩行者として世の中で活躍することができる。また、家庭内でも同居者の手助けを借りなくても一人で通常歩行が出来、トイレ等ドアーの直ぐ前まで近寄れ片手で歩行訓練補助具、もう一方の手でドアーを開けることができ、ドアーは補助具の幅を残して殆どが開けられ容易に入ることができる。入院中の歩行訓練者には自立完全歩行までできる。家庭内では手摺もなく諦め掛けていた歩行残念意識から再々度挑戦する中で明日への希望と生き甲斐を与えられ回復期待に満ちた生活が送ることができる次世代歩行訓練補助具である
【図面の簡単な説明】
【図１】  全体の斜視図
【図２】  全面後面側面図
【図３】  平面図
【符号の説明】
１  車体を支える下弦材
２  ハンドルを支える直立材
３  ハンドル
４  前輪キャスター式車輪
５  キャスター取付支持板
６  後輪
７  後輪を跨る横材
８  後輪取付ファスナー
９  上弦材と繋ぐ直立材
１０  上弦材
１１  前輪取付ファスナー
１２  ブレーキファスナー
１３  ハンドルのブレーキファスナー
１４  ブレーキワイヤー
【図１】
2009268875.tif 000003
【図２】
2009268875.tif 000004
【図３】
2009268875.tif 000005
(57)【要約】      （修正有）【課題】いびきのひどい人や、睡眠時無呼吸症の方、及び極度に寝相の悪い人に快眠をもたらす。【解決手段】睡眠時無呼吸症の原因とされる、睡眠時に顎が緩む事で舌が下がり気道を封鎖するのを防ぐ機能を有した枕もなかった。枕を鉢巻の様に頭に装着する事により、どの方向に転がってもほどよい高さを保てる様にし、いびきや睡眠時無呼吸症の原因となる、舌による気道の封鎖を防止する為に、顎がゆるまぬ様に支える機能を加えた。真下向きに寝るのが最もよいとされるので、真下向き睡眠を可能にする為の空間が保持できる様にした。頭部に装着する枕として、舌による気道の封鎖を防ぐ構造を加えた。【選択図】図１
2009268871.tif 000002
【特許請求の範囲】
【請求項１】
鉢巻きの様に頭に装着する枕で、上向き下向き左右どの方向に転がってもほどよい高さを、保持する枕。
【請求項２】
顔を真下に向けても呼吸用の空間を保持する枕。
【請求項３】
顎を押し支える構造を有した枕。
【発明の詳細な説明】
【発明の詳細な説明】
【技術分野】
【０００１】この発明は、いびきのひどい人や寝相の悪い人、特に、睡眠時無呼吸症の人などの快眠を目的にしたものである。
【背景技術】
【０００２】鉢巻の様に頭に装着して使用し、どう転がっても、ほどよい高さを保持する枕はなかった。睡眠時無呼吸症の原因とされる、睡眠時に顎が緩む事で舌が下がり気道を封鎖するのを防ぐ機能を有した枕もなかった。
【発明が解決しようとする課題】
【０００３】寝相の悪い人やいびきのひどい人、睡眠時無呼吸症の人の不眠。
【課題を解決するための手段】
【０００４】枕を鉢巻の様に頭に装着する事により、どの方向に転がってもほどよい高さを保てる様にし、いびきや睡眠時無呼吸症の原因となる、舌による気道の封鎖を防止する為に、顎がゆるまぬ様に支える機能を加えた。
真下向きに寝るのが最もよいとされるので、真下向き睡眠を可能にする為の空間が保持できる様にした。
【発明の実施形態】
【０００５】枕の形状により、真下向き睡眠を可能にし顎骨を、支える機能を付けた。
【発明の効果】
【０００６】非常に寝相の悪い方でも、枕が常に付いているので、目覚めて枕を探す事もなく快眠できる。
唾眠時無呼吸症の方も今のところ良好である。
【図面の簡単な説明】
【図１】本発明の枕、使用中、側面からの見取り図である
【符号の説明】
１は上向きに寝てるところ
２は下向きに寝てるところ
３は横向きに寝てるところ
４は顎ささえ部
【図１】
2009268871.tif 000003
(57)【要約】【課題】さまざまなサイズの鍋に対応でき、また安全に取り出せる落とし蓋を提供する。【解決手段】落とし蓋をドーナツ状に分割することで、さまざまなサイズの鍋に対応する事ができ、またツマミにフックを掛けられる様にする事で安全に取り出せることを特徴とする落とし蓋。【選択図】図１
2009268872.tif 000002
【特許請求の範囲】
【請求項１】
中心部にツマミ付きのピンを設けた落とし蓋の外側に、径の異なるドーナツ状の落とし蓋複数枚を、連結孔を介して任意の大きさの落とし蓋に形成できるように構成したことを特徴とする落とし蓋。
【請求項２】
落とし蓋のツマミにフックを掛けられる様にする事により、安全に取り出す事ができる落とし蓋。
【発明の詳細な説明】
【技術分野】
【０００１】  本発明は、鍋で料理を煮込む際に使用する器具、落とし蓋に関するものである。
【技術背景】
【０００２】  従来の落とし蓋においては各鍋のサイズに合った単一構造となっている。
【発明の開示】
【発明が解決しようとする課題】
【０００３】  しかし単一構造の落とし蓋では、さまざまなサイズの鍋に対し複数枚用意する必要があり、また収納スペースも枚数に応じて必要という問題があった。
加えて取り出す為のツマミ部分が簡素化されているものが多く、安全性に問題があった。
本発明は以上の問題点を解決しようとするものである。
【課題を解決するための手段】
【０００４】  落とし蓋をドーナツ状とし、大小さまざまなサイズのものを連結する事により、目的の大きさの落とし蓋を形成する。
ツマミを可倒式にし、さらにツマミの先端にフックを掛けられる様にする。
【発明の効果】
【０００５】  本発明は落とし蓋において、さまざまなサイズの鍋に対し１枚で対応する事ができ、また収納スペースもコンパクトにする事ができる。
ツマミを可倒式にし省スペース化を図りながらも、ツマミの先端にフックを掛けられる様にすることで安全性を向上させている。
【発明を実施するための最良の形態】
【０００６】  以下、本発明の実施形態を説明する。
図１  １に示す落とし蓋の中心部材に対し２、３、４の落とし蓋増設用部材を鍋のサイズに合わせ複数枚連結する。連結の際は９のグリップ部分に手を添えて回転させ、双方の連結部を合わせる。落とし蓋の中心部材には鍋から取り出す際の安全性向上の為に７のツマミを設け、さらに高齢者に配慮した１０のフック、１１の取っ手を設ける。
本発明を使用するときは、使用する下記条件により形態、構造を変更してもよい。【０００７】  以下、本発明で実施形態が変更される条件を説明する。
（イ）用途の違い。調理以外に使用の場合。
（ロ）調理に使用される食材の違い。
（ハ）使用される方の年齢、性別の違い。
（ニ）業務用、家庭用の違い。【０００８】  以下、本発明で上記条件（イ）〜（ニ）により変更される形態、構造を説明する。
（ホ）落とし蓋の材質、枚数の変更。
（ヘ）落とし蓋の孔の形状、凹凸、口径、角度、数の変更。
（ト）落とし蓋の連結部分の形状、数の変更。
（チ）増設用落とし蓋の幅の変更。
（リ）グリップ部分の形状、数の変更。
（ヌ）ツマミ、フック、取っ手の形状の変更。
（ル）各部品の色の組み合わせの変更。
本発明は以上のような構造よりなっている。
【図面の簡単な説明】
【０００９】
【図１】本発明の斜視図
【図２】本発明の背面からの斜視図
【図３】本発明の中心部材の詳細斜視図
【図４】本発明の増設部材の詳細斜視図
【図５】本発明のツマミ部分の詳細斜視図
【図６】本発明のフック部分の詳細斜視図
【符号の説明】
【００１０】１  落とし蓋中心部材
２  落とし蓋増設用部材−Ａ
３  落とし蓋増設用部材−Ｂ
４  落とし蓋増設用部材−Ｃ
５  通気孔
６  連結孔
７  ツマミ
８  ピン（ツマミ固定用）
９  グリップ
１０  フック
１１  取っ手
【図１】
2009268872.tif 000003
【図２】
2009268872.tif 000004
【図３】
2009268872.tif 000005
【図４】
2009268872.tif 000006
【図５】
2009268872.tif 000007
【図６】
2009268872.tif 000008
(57)【要約】【課題】本発明は、野球のバットで正しいフォームづくり及びボールがあたるポイントをつかむことを、短期間で身に付けられる練習用改良バットに関する。【解決手段】本発明の練習用改良バットは、ボールのあたる部分を平面化し、ライナー又はゴロの強い打球を打ち込むことにより、自然と正しいフォームとボールのあたるポイントがつかめ、効果を発揮するものである。【選択図】図１
2009268873.tif 000002
【特許請求の範囲】
【請求項１】
野球やソフトボールで使用するバットにおいて、ボールがあたる部分をバットの軸線と平行になる平面とし、グリップに上記平面に対し一定の角度をもって平面又は凹凸を設けることにより、ボールの進んでくる軌道に対し、上記平面を直角とするようグリップの握る位置を知覚するようにした木製及び金属バット。
【請求項２】
前記バットにおいて、ボールがあたる部分の面にボールの進んでくる軌道に対し、直角にあたる角度でもって、平面部を設けることを特徴とする木製及び金属バット。
【請求項３】
前記バットにおいて、グリップを握ることでボールがバットにあたる平面部の向きが解り、あたる角度を調整出来るように上記平面部に対して、ある一定の角度をもってグリップ内に位置決めの為の平面又は凹凸を設けることを特徴とする木製及び金属バット。
【請求項４】
前記のボールのあたる平面部の中に、ボールをあてる目標とする為、芯となる中心部に表示かマークを付けることを特徴とする木製及び金属バット。
【発明の詳細な説明】
【技術分野】
【０００１】  本発明は、野球用バットで、正しいフォームづくり及びボールにあたるポイントをつかむための短期間に効果を発揮する、練習用改良バットに関する。
【背景技術】
【０００２】  従来、野球用バットは反発特性を向上させて、ボールの飛距離を向上させるものが開発されている。
しかし、飛距離を向上させるための、技術的な正しいスイングや正しいフォームづくりに効果がある練習用改良バットはない。
【特許文献１】特開平１０−２４８９７８
【０００３】  従来、バットの芯を外しても飛距離の低下を抑制するものが開発されている。
しかし、ボールがあたるポイントをつかむために効果がある、練習用改良バットはない。
【特許文献２】特開２００６−２３９４１０
【非特許文献１】
【非特許文献２】
【発明の開示】
【発明が解決しようとする課題】
【０００４】  本発明は、バットを使った野球の実練習において、正しいフォームづくり及びボールがあたるポイントをつかむことを、短期間で身に付ける事が出来る練習用改良バットを提供する事を目的とする。
【課題を解決するための手段】
【０００５】  野球やソフトボールで使用するバットにおいて、ボールがあたる部分をバットの軸線と平行になる平面とし、グリップに上記平面に対し一定の角度をもって平面又は凹凸を設けることにより、ボールの進んでくる軌道に対し上記平面を直角とするようグリップの握る位置を知覚するようにした木製及び金属バット。
前記バットにおいて、  ボールがあたる部分の面にボールの進んでくる軌道に対し、直角にあたる角度でもって平面部を設けることを特徴とする木製及び金属バット。【０００６】前記バットにおいて、グリップを握ることでボールがバットにあたる平面部の向きが解り、あたる角度を調整できるように上記平面部に対して、ある一定の角度をもってグリップ内に位置決めの為の平面又は凹凸を設けることを特徴とする木製及び金属バット。【０００７】前記のボールがあたる平面部の中に、ボールをあてる目標とするため芯となる中心部に表示かマークを付けることを特徴とする木製及び金属バット。
【発明の効果】
【０００８】  本発明の練習用改良バットは、平面にすることによりボールがバットにあたっている時間が長くなり、ボールが強打しやすく、しかもボールに力を伝えやすくなる。【０００９】更に、バットにあたるポイントは、繰り返しの使用で自然に芯となる一点に近づいていき、スイングの基本と正しいフォームづくりに役立つものである。
【発明を実施するための最良の形態】
【００１０】  本発明の練習用改良バットは、ボールがあたる平面部は、ボールの進んでくる軌道に対し直角にし、スイングは平行スイングかダウンスイングで常にライナーかゴロの強い打球を打つことにある。
【実施例】
【００１１】本発明の練習用改良バットは、基本スイングを身に付けたい方、上達を早めたい方への基本動作スイングの習得として、又スランプを脱出したい方、バント練習の方へは基本動作の再見直し用として効果があるものである。
【図面の簡単な説明】
【００１２】
【図１】バットの外観図  及び断面図
【符号の説明】
【００１３】▲１▼は、ボールを当てる平面。
▲２▼は、グリップ内の平面又は凹凸。
▲３▼は、ボールを当てる目標マーク
【図１】
2009268873.tif 000003
(57)【要約】【課題】閉じた状態の傘を持ち歩く時に、他の荷物が持ちづらく手が使いづらくなるなど動作が制限され不便にならないように、傘を手で持たずに肩に掛けてぶらさげた状態で携行できる、傘専用の肩掛けストラップを提供する。【解決手段】手持ちの傘の手元（ハンドル）部分に吊りひもを装着し、その吊りひもを肩に掛けることにより、閉じた状態の傘を手で持たず体の側面にぶらさげて携行することが可能となった。その結果荷物などが持ちやすくなり手の自由度が増すことにより動作が制限され不便を感じていたことが解消される。【選択図】図３
2009268864.tif 000002
【特許請求の範囲】
【請求項１】
傘の手元（ハンドル）部分に取り付けて使用する、傘専用の吊りひもであること。
【請求項２】
閉じた状態の傘を肩に掛けて携行するための吊りひもであること。
【請求項３】
肩にかける吊りひもの本体部分と傘の手元（ハンドル）に取り付けるジョイント部分とで構成されていること。
【発明の詳細な説明】
【技術分野】
【０００１】本発明は、傘の手元（ハンドル）部分に取り付ける肩掛け用の吊りひもで、閉じた状態の傘を手で持たずに肩に掛けてぶらさげた状態で携行することができるようにしたものである。
【背景技術】
【０００２】従来は、傘の手元（ハンドル）部分のみに装着する傘専用の肩掛けストラップはなかった。【０００３】
【特許文献１】特開２００５−３４２７８
【発明の開示】
【発明が解決しようとする課題】
【０００４】傘を持って外出した日に、雨がやんでいたり駅やデパートなどの屋内に入った時など、閉じた傘を手で持っているとかばんや買い物袋などの他の荷物が持ちづらく、手がふさがっているのでかばんの中から財布などを取り出しづらかったりと、動作が制限されて非常に不便であるという難点があった。本発明は、この課題を解消するためになされたものである。
【課題を解決するための手段】
【０００５】手持ちの傘の手元（ハンドル）部分に、ジョイント部分１を介し吊りひも本体２を装着し、それを肩にかけて体の側面に傘をぶらさげることにより、閉じた状態の傘を手で持つことなく携行できるようにした。また、吊りひもの長さ調節３も可能とすることで、様々な体型に対応できるようにし、さらに吊りひもの素材に伸縮性のコイル４やゴム素材を使用したり収納ケース５を取り付けることにより、肩掛けとして使用していない時には吊りひもがコンパクトに収まるように配慮した。
【発明の効果】
【０００６】傘を持った外出時、手に持っている閉じた傘がなにかとじゃまであったが、本発明を手持ちの傘に装着することで肩に掛けて携行できるようになり、その結果荷物などが持ちやすくなった。手の自由度が増すことにより、買い物などで商品を手にとってじっくり見やすくなり、さらに会計時などにはかばんから財布が取り出しやすくなるなど動作もスムーズとなり、傘１本持っているだけで動作が制限され不便を感じていたことが解消された。
【実施例】
【０００７】荷物を両手に持っている人物が、本発明６を利用して傘を肩にかけて携行している実施例を図３に示した。
【図面の簡単な説明】
【０００８】
【図１】本発明を示した全体図である。
【図２】本発明の展開例を示した図である。
【図３】本発明の実施例を示した図である。
【符号の説明】
【０００９】１  手元（ハンドル）と本体のジョイント部分
２  吊りひも本体
３  吊りひもの長さ調節及び留め具部分
４  コイル状の吊りひも
５  収納ケース
６  本発明装着時のイメージ
【図１】
2009268864.tif 000003
【図２】
2009268864.tif 000004
【図３】
2009268864.tif 000005
(57)【要約】【課題】ブーツの筒胴の内側にストレッチベルト（１）とナイロン素材のベルトループ（８）を螺旋状に設けた調整ベルト（イージーフィットベルト）付きブーツを提供する。【解決手段】ブーツの筒胴の中に、ストレッチベルト（１）、ナイロン素材のベルトループ▲１▼（８）とベルトループ▲２▼（９）を設ける。本発明は、以上の構成によりなる、調整ベルト付きブーツを特徴とする。【選択図】図１
2009268869.tif 000002
【特許請求の範囲】
【請求項１】
革靴の筒胴の内側にストレッチベルト（１）とベルトループ▲１▼（８）とベルトループ▲２▼（９）を螺旋状に設けたイージーフィットベルト。
【発明の詳細な説明】
【技術分野】
【０００１】この発明は、革靴の筒胴の内側にストレッチベルト（１）とナイロン素材のベルトループ▲１▼（８）とベルトループ▲２▼（９）を螺旋状に設けた、イージーフィットベルトに関するものである。
【背景技術】
【０００２】従来、ブーツとうものは、足の形にあった木型（ラスト）にたよったいわゆるスリップオンの状態でしか、履く事が出来なかった。
【発明の開示】
【発明が解決しようとする課題】
【０００３】これは、次のような欠点があった。
従来の製法では足をホールドする為の微調整が難しく、特に足首周りの調整が困難であった。
このため歩行の際に、靴が脱げたり、靴擦れができたりという欠点があった。
本発明は、以上のような欠点なくすためになされたものである。
【課題を解決するための手段】
【０００４】ブーツの筒胴の中に、ストレッチベルト（１）ナイロン素材のベルトループ▲１▼（８）とベルトループ▲２▼（９）を設ける。本発明は、以上の構成によりなる、調整ベルト付きブーツである。
【発明の効果】
【０００５】ブーツのアッパー（表生地）（５）とライニング（内生地）（６）の間にストレッチベルト（１）を通すので、足首から脹脛（ふくらはぎ）にかけてフィット感を得ることができる。伸縮性のあるベルトの為、ブーツの脱着の際、バックル（３）を緩めるという手間が省け、スリップオンとして使用するのになんら差しつかえがない。
【発明を実施するための最良の形態】
【０００６】以下、本発明を実施するための最良の形態について説明する。
ブーツの内側にストレッチベルト（１）を螺旋状に設ける。
ストレッチベルトを筒胴の履き口（上部）から足の甲（下部）まで螺旋状に通す。
その際、筒胴の内側は革または生地の為、ストレッチベルト（１）との摩擦が大きい。
上記を考慮して、摩擦係数の少ないナイロン素材のベルトループ▲１▼（８）を設置、使用し、締め込み動作をスムーズに行える構造である。
これを使用する際は、履き口に設置してある引き込みベルト（２）を引き込んでサイズの調整を行えば良い。
本発明は、以上のような構造である。
【図面の簡単な説明】
【０００７】
【図１】本発明の断面図である。
【符号の説明】
【０００８】１  ストレッチベルト
２  引き込み用ベルト
３  ベルト用バックル
４  ベルトを内側から外側に引き出すための窓
５  アッパー（表生地）
６  ライニング（内生地）
７  アッパー（表生地）
８  ベルトループ▲１▼（ナイロン素材）
９  ベルトループ▲２▼
１０  ストレッチベルトのエンドステッチ
【図１】
2009268869.tif 000003